(57)【特許請求の範囲】
【請求項１】
容器内の収納物を排出する振出し口が形成され、容器の口部に装着される蓋本体と、この蓋本体の振出し口を施蓋する上蓋とから成る振出し用キャップにおいて、蓋本体の外部側面に連結ヒンジ部を形成し、この連結ヒンジ部を介して蓋本体と上蓋とを一体に形成し、前記振出し口の周囲に嵌合リブを立ち上げると共に、この嵌合リブに嵌合して振出し口を密封する嵌合体を前記上蓋の下面に突設し、前記蓋本体を上下に貫通する嵌合孔を設け、この嵌合孔に嵌合して前記上蓋を蓋本体に固定する連結凸部を上蓋の下面に突設し、前記上蓋は、連結ヒンジ部の延長線上にあり、連結凸部で蓋本体に固定される部分を固定片とし、一方、前記嵌合体を設けた部分を揺動片として形成し、この揺動片を、肉薄状の開閉用ヒンジを介して、固定片に揺動自在に設けると共に、揺動片を持ち上げたときに揺動片を開口状態で支持する支持突起を揺動片の開閉用ヒンジ側端部に突設し、一方、支持突起が揺動するように、蓋本体の上面に揺動凹部を凹設すると共に、該揺動凹部の内部側面に係止突起を設け、支持突起を揺動させて、この係止突起を強制的に越えると、支持突起が係止突起に係止するように設けたことを特徴とする一体形振出し用キャップ。
【発明の詳細な説明】
【０００１】
【発明の属する技術分野】
本発明は、主に顆粒状や粉末状の食品を収納する容器に装着される一体形振出しキャップに係り、キャップの振出し口と、この振出し口を施蓋する上蓋とを一体に成型することができる一体形振出しキャップに関するものである。
【０００２】
【従来の技術】
従来、この種の振出し容器のキャップとして、実開平4-27752 号公報に記載された粉末食品容器の蓋や、特開平8-11915 号公報に記載された振出し容器用キャップなどが提案されている。
【０００３】
前者の蓋は、大小二種類の振出し口を設けた蓋の上面に、それぞれの振出し口を施蓋する一対の開閉蓋を設けたもので、大小二種類の振出し口を選択して粉末食品を振り出しできるようにしたものである。
【０００４】
後者のキャップは、大径の振出し口を設けた蓋に、小径の振出し孔を設けた中仕切り板を揺動自在に装着し、振出し口に中仕切り板を重ねたり、重ねた中仕切り板を振出し口から持ち上げることで、大径の振出し口と小径の振出し孔とを選択できるようにしている。また、このキャップには、更に中仕切り板の上から開口部を施蓋する上蓋を備えている。
【０００５】
【発明が解決しようとする課題】
これら従来の振出し容器のキャップでは、いずれも振出し口を設けた蓋体に、この振出し口を施蓋する上蓋や中仕切り板を組み合わせて使用するものなので、これら上蓋や中仕切り板を蓋体と別体にして設ける必要があった。そのため、各部を形成する複数の金型が必要になり、また、成型された複数の部材を組み合わせて固定する作業を要するなど製造コストや工程数が多くなる不都合があった。
【０００６】
また、この種の振出し容器は、顆粒状や粉末状の食品を収納するので、保存中において食品への湿気を防止する確実な蓋体が必要になる。そこで、振出し口の密封性能を高めるために、従来では、振出し口の周囲に嵌合用のリブを立ち上げ形成すると共に、振出し口を施蓋する上蓋に、嵌合用のリブに嵌合して密着する嵌合部を設けることで密封性能を高めている。ところが、このような嵌合用のリブや嵌合部を設けるには、やはり蓋体と上蓋とを別体に設ける必要がある。このように、当業界において、密封性能の高い振出し容器のキャップを形成するには蓋体と上蓋とを別体に設けることが半ば常識とされていた。
【０００７】
そこで本発明は上述の課題を解消すべく創出されたもので、振出し用キャップの製造工程を簡略化し、振出し口の密封性能を高めることができる一体形振出しキャップの提供を目的とするものである。
【０００８】
【課題を解決するための手段】
上述の課題を解消するため本発明の第１の手段は、容器内の収納物を排出する振出し口１１が形成され、容器の口部外側に装着される蓋本体１０と、この蓋本体１０の振出し口１１を施蓋する上蓋２０とから成る振出し用キャップにおいて、蓋本体１０の外部側面に連結ヒンジ部３０を形成し、この連結ヒンジ部３０を介して上蓋２０と蓋本体１０とを一体に形成したことにある。
【０００９】
また、振出し口１１の周囲に嵌合リブ１２を立ち上げると共に、この嵌合リブ１２に嵌合して振出し口１１を密封する嵌合体２１を前記上蓋２０の下面に突設したものである。
【００１０】
更に、蓋本体１０を上下に貫通する嵌合孔１３を設け、この嵌合孔１３に嵌合して上蓋２０を蓋本体１０に固定する連結凸部２２を上蓋２０の下面に突設することにある。
【００１１】
そして、上蓋２０において、連結ヒンジ部３０から延長線上にあり、連結凸部２２で蓋本体１０に固定される部分を固定片２３とし、一方、嵌合体２１を設けた部分を揺動片２４として形成し、肉薄状の開閉用ヒンジ２５を介して揺動片２４を固定片２３に揺動自在に連設すると共に、揺動片２４を持ち上げたときに揺動片２４を開口状態で支持する支持突起２６を揺動片２４の開閉用ヒンジ２５側端部に突設し、一方、支持突起２６が揺動するように、蓋本体１０の上面に揺動凹部１４を凹設すると共に、該揺動凹部１４の内部側面に係止突起１４Ａを設け、支持突起２６を揺動させて、この係止突起１４Ａを強制的に越えると、支持突起２６が係止突起１４Ａに係止するように設けたことを課題解消のための手段とする。
【００１２】
本発明によると、連結ヒンジ部３０を介して蓋本体１０と上蓋２０とを一体成型することで振出し用キャップの製造工程を簡略化する。また、蓋本体１０の嵌合リブ１２と上蓋２０の嵌合体２１とにより振出し口１１を密封し、顆粒状や粉末状食品の防湿状態を保つものである。
【００１３】
【発明の実施の形態】
以下、図面に基づいて本発明の実施の形態を説明する。
【００１４】
本発明振出し用キャップは、蓋本体１０と上蓋２０とを連結ヒンジ部３０を介して一体に成型したものである（図１参照）。蓋本体１０には、容器内の顆粒状や粉体状の食品を排出する振出し口１１が形成され、容器の口部に着脱自在に装着する。図示の振出し口１１は、振り出し量を調整できるように、一個の大径振出し口１１と、３連の小径振出し口１１との二種類の振出し口１１を蓋本体１０の両端部に設けている。この振出し口１１の数や形状、設置位置等は図示例に限らず任意に設定できる。
【００１５】
そして、振出し口１１の周囲に嵌合リブ１２を立ち上げると共に、この嵌合リブ１２に嵌合して振出し口１１を密封する嵌合体２１を前記上蓋２０の下面に突設している（図１参照）。図示例では、嵌合体２１と共に、各振出し口１１の内部に挿入する挿入凸部２７を設けている。この挿入凸部２７を振出し口１１に挿入することで振出し口１１に詰まった顆粒状や粉体状の食品を容器内に押し戻すので、振出し口１１を常に開口させた状態で使用することができる（図４、図５参照）。
【００１６】
蓋本体１０に、蓋本体１０を上下に貫通する嵌合孔１３を設けている（図１参照）。更に、上蓋２０の下面に連結凸部２２を突設し、この連結凸部２２を嵌合孔１３に嵌合して上蓋２０を蓋本体１０に固定する（図４参照）。図示の連結凸部２２の先端部に係止部２２Ａを設けている。この係止部２２Ａを、嵌合孔１３の開口縁に係止させ、連結凸部２２の抜け止め部材とする。
【００１７】
上蓋２０は、蓋本体１０の上面に装着するもので、蓋本体１０に固定する固定片２３と、この固定片２３から肉薄状の開閉用ヒンジ２５を介して揺動自在に連設した揺動片２４とから成る（図２参照）。固定片２３は連結ヒンジ部３０から延長線上にあり、連結凸部２２で蓋本体１０に固定する（図４参照）。一方、揺動片２４を上下に揺動し、上蓋２０の下面に設けた嵌合体２１を蓋本体１０の嵌合リブ１２に嵌合自在とする（図５参照）。
【００１８】
更に、揺動片２４の開閉用ヒンジ２５側端部に支持突起２６を突設している（図５参照）。そして、揺動片２４を持ち上げたときに、この支持突起２６が蓋本体１０に係止して揺動片２４を開口状態で支持する。本発明では、支持突起２６が揺動するように、蓋本体１０の上面に揺動凹部１４を凹設している（図１参照）。更に、揺動凹部１４の内部側面に係止突起１４Ａを設け、支持突起２６を揺動させて、この係止突起１４Ａを強制的に越えると、支持突起２６が係止突起１４Ａに係止するように設けている（図５参照）。このように、揺動片２４を持ち上げたときに支持突起２６を係止突起１４Ａに係止させることで、揺動片２４の開口状態を維持するものである。
【００１９】
【発明の効果】
本発明は上述の如く構成したことにより当初の目的を達成した。
【００２０】
すなわち、容器内の収納物を排出する振出し口１１が形成され、容器の口部外側に装着される蓋本体１０と、この蓋本体１０の振出し口１１を施蓋する上蓋２０とから成る振出し用キャップにおいて、蓋本体１０の外部側面に連結ヒンジ部３０を形成し、この連結ヒンジ部３０を介して上蓋２０と蓋本体１０とを一体に形成したことにより、蓋本体１０と上蓋２０とを一体に成型することが可能になった。この結果、従来必要であった複数の金型や、成型された複数の各部を組み合わせて固定する作業などは一切不要になり、振出し用キャップの製造工程を極めて簡略化することができる。
【００２１】
また、振出し口１１の周囲に嵌合リブ１２を立ち上げ形成すると共に、この嵌合リブ１２に嵌合して振出し口１１を密封する嵌合体２１を上蓋２０の下面に突設したことにより、振出し口１１を緊密に密封し、振出し口の密封性能を高め、容器内部の顆粒状や粉末状食品の防湿状態を保つことができる。
【００２２】
更に、蓋本体１０に、蓋本体１０を上下に貫通する嵌合孔１３を設け、この嵌合孔１３に嵌合して上蓋２０を蓋本体１０に固定する連結凸部２２を上蓋２０の下面に突設したので、蓋本体１０と上蓋２０とを強固に固定し、蓋本体１０の嵌合リブ１２と上蓋２０の嵌合体２１との嵌合力を高めることができる。
【００２３】
そして、上蓋２０において、連結ヒンジ部３０から延長線上にあり、連結凸部２２で蓋本体１０に固定される部分を固定片２３として形成し、嵌合体２１を設けた部分を揺動片２４として形成し、肉薄状の開閉用ヒンジ２５を介して揺動片２４を固定片２３に揺動自在に連設したので、揺動片２４を操作するだけで振出し口１１を開閉することができる。更に、揺動片２４を持ち上げたときに揺動片２４を開口状態で支持する支持突起２６を揺動片２４の開閉用ヒンジ２５側端部に突設し、一方、支持突起２６が揺動するように、蓋本体１０の上面に揺動凹部１４を凹設すると共に、該揺動凹部１４の内部側面に係止突起１４Ａを設け、支持突起２６を揺動させて、この係止突起１４Ａを強制的に越えると、支持突起２６が係止突起１４Ａに係止するように設けたことにより、振出し口１１から収納物を振り出す際に、この揺動片２４を開口状態で固定できるので、揺動片２４が使用時の妨げにならずに済む。
【００２４】
このように、本発明によると、振出し用キャップの製造工程を簡略化し、振出し口の密封性能を高めることができるなどといった有益な種々の効果を奏するものである。
【図面の簡単な説明】
【図１】  本発明キャップの成型状態を示す斜視図である。
【図２】  本発明キャップにおける振出し口の密封状態を示す斜視図である。
【図３】  本発明キャップの振出し口を開口した状態を示す斜視図である。
【図４】  本発明キャップおける嵌合体と連結凸部とを示す要部切欠き斜視図である。
【図５】  本発明キャップの支持突起を示す要部切欠き斜視図である。
【符号の説明】
１０ 蓋本体
１１ 振出し口
１２ 嵌合リブ
１３ 嵌合孔
１４ 揺動凹部
１４Ａ 係止突起
２０ 上蓋
２１ 嵌合体
２２ 連結凸部
２２Ａ 係止部
２３ 固定片
２４ 揺動片
２５ 開閉用ヒンジ
２６ 支持突起
２７ 挿入凸部
３０ 連結ヒンジ部
【図１】
0003733565.tif 000002
【図２】
0003733565.tif 000003
【図３】
0003733565.tif 000004
【図４】
0003733565.tif 000005
【図５】
0003733565.tif 000006